(57)【要約】【課題】構造躯体内に結露を発生させることがなく構造躯体の永年耐力保持を図ることができ、かつ、夏期の小屋裏排熱を促し、換気を伴った室内の空調を効率よく行えるようにした三重換気システムを提供する。【解決手段】給気口１７と排気口１８により室内空間１１〜１６を換気し、かつ随時空調できるようにした室内換気システムと、外壁材５の下部から外壁材５と断熱層４の間の通気層１９に取り込んだ外気を小屋裏７ａ内に吸い上げ、その外気を屋根の軒側から屋根板２０と遮熱層２１の間の通気層２２に導入した外気と共に自然排出させる自然換気システムと、閉鎖状の床下空間２５で調湿された外気を構造躯体２の内部空間２７に流通させて排気口１８から常時強制排出させると共に、随時、その躯体内気を構造躯体２の上部に敷設した断熱層６を貫通させて小屋裏７ａに吸引・導入できるようにした躯体換気システムと、を備える。【選択図】  図１
2006132899.tif 000002
【特許請求の範囲】
【請求項１】
少なくとも防水機能と断熱機能及び耐震性を備えて建屋の全平面にわたり敷設される基礎（１）に立設される構造躯体（２）と、該構造躯体（２）の内側に張設される内装材（３）と、前記構造躯体（２）の外側に断熱層（４）を介して張設される外壁材（５）と、前記構造躯体（２）の上部に断熱層（６）を介して載設される換気装置付きの屋根部（７）と、を備えた高気密・高断熱住宅に適用される三重換気システムであって、
前記内装材（３）によって囲まれる室内空間（１１〜１６）に連通する給気口（１７）と排気口（１８）を有し、前記室内空間（１１〜１６）を換気すると共に随時空調できるようにした室内換気システムと、
前記外壁材（５）の下部から、前記外壁材（５）と断熱層（４）の間に形成される通気層（１９）に取り込んだ外気を小屋裏（７ａ）内に吸い上げ、その外気を、屋根の軒側から屋根板（２０）と遮熱層（２１）との間に形成した通気層（２２）に導入した外気と共に、換気装置（２３）から外部に自然排出させる自然換気システムと、
前記基礎（１）と床板（２４）の間に閉鎖状に形成される床下空間（２５）に調湿材（２６）を配設し、外気を前記床下空間（２５）に取り込んで調湿した後、前記構造躯体（２）の内部空間（２７）に流通させて前記排気口（１８）から屋外に常時強制排出させると共に、前記構造躯体（２）の上部に敷設した断熱層（６）を貫通させて前記小屋裏（７ａ）内に随時吸引・導入できるようにした躯体換気システムと、を備えてなることを特徴とする三重換気システム。
【請求項２】
前記床下空間（２５）に臨む構造躯体（２）の一部に、前記床下空間（２５）から調湿された外気を前記構造躯体（２）の内部空間（２７）に取り込むための通気開口（２８）を形成したことを特徴とする請求項１に記載の三重換気システム。
【請求項３】
前記構造躯体（２）の上部に敷設した断熱層（６）に貫通孔を形成し、該貫通孔に随時駆動される換気扇（３１）を設けたことを特徴とする請求項１又は２に記載の三重換気システム。
【発明の詳細な説明】
【技術分野】
【０００１】
本発明は、高気密・高断熱住宅に適用される三重換気システムに係り、特に、屋根からの自然排気と室内の２４時間換気（必要に応じて空調を伴う）を行い、かつ、構造躯体内に空気を流通させて除湿を促し、躯体内結露の発生を防止して構造躯体の永年耐力保持を図り、夏期等の高温多湿時には室内を効率よく空調できるようにした三重換気システムに関する。
【背景技術】
【０００２】
近時は、主として空調時の省エネ化のために、木造の一般住宅においても高気密化・高断熱化の傾向が顕著となり、断熱構造を用いて家屋内を気密状態に保てるようにした高気密・高断熱住宅が各種提案されている。例えば、基礎部及び軸組部（構造躯体）の屋外側に張りめぐらせた断熱層と内装材との間に通気層を形成して、その通気層により、室内空気を下方から上方へと通気させることによって壁内の結露や壁内の高湿度化を抑制できるようにした建造物の断熱壁構造が提案されている（例えば、特許文献１参照）。
【特許文献１】特開平１１−８１５０９号公報
【発明の開示】
【発明が解決しようとする課題】
【０００３】
上記従来例に示す高気密・高断熱住宅では、断熱層の外側、つまり断熱層と外装材の間に通気層を形成していないため、断熱層と外装材の間で結露が発生しやすいという問題がある。また、断熱層と内装材との間に形成される通気層への給気を行うために、室内下部に通気口を形成しているので、その通気口により壁の遮音性が低下し１階と２階の間で騒音が伝播されやすくなるという問題もある。
【０００４】
しかも、室内下部の通気口から室内の空気を断熱層と内装材の間の通気層に導入しているので、加湿器の使用時や炊飯・調理時等では湿度（や温度）が上昇した空気がそのまま通気層に導入されるため、断熱層と内装材の間に湿気を取り込んでしまい、良好な結露防止効果が得られなくなり構造躯体の耐久力の低下が懸念される。
【０００５】
本発明は、このような実情に鑑みてなされ、構造躯体内に結露を発生させることがなく構造躯体の永年耐力保持を図ることができ、かつ、換気を伴った室内の空調を効率よく行えるようにした三重換気システムを提供することを目的とする。
【課題を解決するための手段】
【０００６】
（１）本発明の三重換気システムは、少なくとも防水機能と断熱機能及び耐震性を備えて建屋の全平面にわたり敷設される基礎１に立設される構造躯体２と、該構造躯体２の内側に張設される内装材３と、前記構造躯体２の外側に断熱層４を介して張設される外壁材５と、前記構造躯体２の上部に断熱層６を介して載設される換気装置付きの屋根部７と、を備えた高気密・高断熱住宅に適用される三重換気システムにあって、
前記内装材３によって囲まれる室内空間１１〜１６に連通する給気口１７と排気口１８を有し、前記室内空間１１〜１６を換気すると共に随時空調できるようにした室内換気システムと、
前記外壁材５の下部から、前記外壁材５と断熱層４の間に形成される通気層１９に取り込んだ外気を小屋裏７ａ内に吸い上げ、その外気を、屋根の軒側から屋根板２０と遮熱層２１との間に形成した通気層２２に導入した外気と共に、換気装置２３から外部に自然排出させる自然換気システムと、
前記基礎１と床板２４の間に閉鎖状に形成される床下空間２５に調湿材２６を配設し、外気を前記床下空間２５に取り込んで調湿した後、前記構造躯体２の内部空間２７に流通させて前記排気口１８から屋外に常時強制排出させると共に、前記構造躯体２の上部に敷設した断熱層６を貫通させて前記小屋裏７ａ内に随時吸引・導入できるようにした躯体換気システムと、を備えてなることを特徴とする。
【０００７】
このような構成によれば、自然換気システムにより、外壁材５と断熱層４の間に形成される通気層１９と屋根部７内の自然換気が行われ、外壁材５と断熱層４の間及び屋根部７内での結露の発生を防ぐことができ、室内換気システムにより、室内空間１１〜１６が換気され、随時空調することにより、快適な生活環境を整えることができる。そして、躯体換気システムにより、床下空間２５に外気を導入して調湿した後、構造躯体２の内部空間２７に流通させて排気口１８から屋外に常時強制排出させると共に、必要に応じて、内部空間２７に流通させた外気（躯体内気）を小屋裏７ａに強制導入するため、構造躯体２内が充分に換気され結露の発生を防止することができ、構造躯体２の永年耐力保持を図ることができる。また、構造躯体２内のＶＯＣ（揮発性有機化合物）を排出することができ、シックハウス症候群の発生を抑制することもできる。
【０００８】
特に、夏期においては、冷房により外気より温度が低くなっている躯体内気が小屋裏７ａに導入されることによって小屋裏７ａの温度を低下させることができ、これにより、小屋裏７ａから室内空間１１〜１６への輻射熱の伝播を抑制して、室内換気システムによる室内の空調効率を向上させることができる。即ち、構造躯体２の内部空間２７には、床下空間２５で調湿された外気だけでなく、内装材３を通して、また、階段や廊下等からも、空調された室内の空気（内気）が入り込むので、内部空間２７から小屋裏７ａに導入される躯体内気は、夏期では、上述のように、冷房によって外気より温度がかなり低くなっているため、小屋裏７ａの温度を効果的に低下させることができる。尚、小屋裏７ａに導入される低温かつ比較的低湿な空気により、小屋裏部材に結露を発生させる虞が生じるが、該小屋裏部材を構成する木材の吸湿能力で調整される機能を有する。また、床下空間２５には、調湿材２６に加えて、床下全面にわたって備長炭パウダー塗料によるコーティングを施すことにより、構造躯体２内が充分に換気・乾燥され、上述のように、結露の発生を防止できると共に防蟻効果が向上する。
【０００９】
（２）前記床下空間２５に臨む構造躯体２の一部に、前記床下空間２５から調湿された外気を前記構造躯体２の内部空間２７に取り込むための通気開口２８を形成するのが好ましい。このようにすれば、床下空間２５で調湿された内気を、内部空間２７に取り込みやすくなり、構造躯体２内の換気を効率よく行うことができる。
【００１０】
（３）前記構造躯体２の上部に敷設した断熱層６に貫通孔を形成し、該貫通孔に随時駆動される換気扇３１を設けてもよい。このようにすれば、夏期や梅雨時等に必要に応じて換気扇３１を駆動させることにより、構造躯体２の内部空間２７の上部から調湿された外気（躯体内気）を吸い上げ、効率よく小屋裏７ａに強制導入することができる。また、冬期等の寒冷時には、換気扇３１を閉状態として空調効率の低下を抑制し、排気口１８から構造躯体２内の内気を屋外に排出させることで構造躯体２内の換気を行うことができる。
【発明の効果】
【００１１】
本発明に係る三重換気システムは、自然換気システムにより、外壁材と断熱層の間に形成される通気層と屋根部内の自然換気が行われ、外壁材と断熱層の間及び屋根部内での結露の発生が防止され、かつ、室内換気システムにより、室内空間を換気できると共に、随時空調することにより、快適な生活環境を整えることができる。そして、躯体換気システムにより、床下空間で調湿された外気を、構造躯体の内部空間に流通させて排気口から屋外に常時強制排出させると共に、小屋裏内に強制導入するので、構造躯体内が充分に換気され結露の発生を防止することができ、かつ、構造躯体の永年耐力保持を図ることができる。また、構造躯体内のＶＯＣを排出することができ、シックハウス症候群の発生を抑制することもできる。そして、夏期においては、冷房により外気より温度が低くなっている空気を躯体換気システムにより小屋裏内に導入させることによって小屋裏の温度を低下させることができ、これにより、小屋裏から室内空間への輻射熱の伝播を抑制して、室内換気システムによる室内の空調効率を向上させることができる。
【発明を実施するための最良の形態】
【００１２】
以下に、本発明の最良の実施の形態に係る三重換気システムについて図面を参照しつつ詳細に説明する。図１は、高気密・高断熱住宅に適用される三重換気システムの概念図、図２（ａ）は建屋２階の床部の断面図、（ｂ）は建屋１階の床部の断面図、図３（ａ）は屋根部の軒棟方向の断面図、（ｂ）は屋根部の桁行方向の断面図である。この高気密・高断熱住宅は、図１に示すように、室内を２４時間換気（必要に応じて空調を伴う）するいわゆる生活換気を行う室内換気システム（換気の方向を矢印Ａで示す）と、外壁内と小屋裏の自然換気を行う自然換気システム（換気の方向を矢印Ｂで示す）に加えて、特に、構造躯体２の内部を常時換気するための躯体換気システム（換気の方向を矢印Ｃで示す）と、を備えており、この三重換気システムにより、年間を通じて構造躯体２内に結露を発生させずに構造躯体２の永年耐力保持を図ることができると共に、換気による空調効率の低下を抑え室内を効率よく空調することができる。
【００１３】
全体について詳しく説明すると、この高気密・高断熱住宅は、防水機能と断熱機能及び耐震性を備えた基礎１を建屋の全平面にわたり敷設し、その基礎１の上に構造躯体２を立設している。その基礎１は、例えば、耐圧版マットスラブ工法により形成されるコンクリート製のベタ基礎とし、全面１５０ｍｍ厚のベースコンクリート１ａにより建物の荷重や地震エネルギーを面全体で受止めるようにし、ベースコンクリート１ａの下には防湿シート材（ポリエチレンフィルム等）と栗石（１００ｍｍ厚程度）が敷設され、ベースコンクリート１ａの立ち上がり部及び外周から９００ｍｍ以内には、基礎断熱材としてポリスチレンフォーム１ｂを５０ｍｍ厚程度に敷設すると共に、ベースコンクリート１ａの全面にわたりセラミック系、炭素系等の調湿材２６を配設している。さらに、この基礎１を含めた床下全面にわたり備長炭パウダー塗料による２回のコーティング（黒色）が施される。このような基礎１の地面からの立ち上がり部分の高さは３５０ｍｍ以上とするのが好ましい。尚、本発明は、基礎１の構成を上述のように限定するものではなく、少なくとも充分な防水機能と断熱機能及び耐震性を備えておればよく、施工方法や構成の如何を問わない。
【００１４】
基礎１の上に立設される構造躯体２の構造材としては、例えば、土台２ａ、柱，梁、間柱、大引、耐力壁、床下地、床束等があり、土台はヒバ集成材（１０５×１０５）、柱，梁は高耐久仕様集成材（通し柱：１２０×１２０，管柱：１０５×１０５）、間柱は米栂集成材（１０５×３０）、大引は桧（１０５×１０５）、耐力壁は構造用合板（外壁全面，ｔ１２）、床下地は構造用合板（１階，２階共，ｔ２８）、床束はプラ束で、それぞれ構成される。構造躯体２の外側には構造用合板３５が張設され、さらにその外側に断熱層４として、例えば、フェノールフォーム（面材：不織布）が５０ｍｍ厚程度に張設される。また、面材にアルミ箔を用いたものを選択することができる。
【００１５】
そして、図２（ａ）（ｂ）に示すように、断熱層４の外側に間装部材を介して外壁材５を張設し、断熱層４と外壁材５との間に上下に流通する通気層１９を形成し、図３（ａ）（ｂ）に示すように、その通気層１９を小屋裏７ａに連通させ、外壁材５の下部から通気層１９に取り込んだ外気を小屋裏７ａに導入できるようにしている。これにより、断熱層４と外壁材５との間及び小屋裏７ａでの結露の発生を防ぐことができる。一方、構造躯体２の内側にはプラスターボード等の内装材３が張設され、かつ、内装材３と構造用合板３５の間には構造躯体２の内部空間（外壁空間）２７ａ（２７）が形成される。また、柱及び間柱間に形成される間仕切部では、所定の間隔をおいて張設されるプラスターボード等の内装材３，３間にも内部空間（間仕切空間）２７ｂ（２７）が形成される。
【００１６】
基礎１の立ち上がり部に載設される土台２ａ及び所定の間隔をおいて架設される大引（図示省略）の上には、構造用合板３６と、その上に敷設されるフローリング材３７とからなる床板２４が形成され、基礎１と床板２４との間には閉鎖状の床下空間２５が形成される。一方、２階部分では、柱，間柱の上に所定の間隔をおいて横架される梁３８，３９の上に、構造用合板３６と、その上に敷設されるフローリング材３７とからなる床板２４が形成され、床板２４の下には天井４０との間に天井裏空間４１が形成される（図２（ａ）（ｂ）参照）。
【００１７】
特に、本実施の形態では、構造躯体２の内装材３と断熱層４（構造用合板３５を含む））の間及び内装材３，３間に形成される内部空間２７（２７ａ，２７ｂ）と、基礎１と床板２４とで囲まれる床下空間２５、及び、天井裏空間４１との間で躯体内気の流通を促進するために、通気開口２８（２８１〜２８４）を形成している。具体的には、まず、１階部分では、図２（ｂ）に示すように、外壁の下部に形成される通気開口２８１は、桁行方向に配設される端部の土台２ａの上面に所定の間隔（例えば、１５０ｍｍ〜２００ｍｍ程度）をおいて凹状に形成され、その上半分が構造用合板３６によって覆われるが、残りの半分が内部空間２７に向けて開放されているため、床下空間２５と内部空間２７ａ（２７）とが連通する。このような通気開口２８１は、軒棟方向に配設される土台２ｂの上面にも同様に形成される。また、間仕切部の下に形成される通気開口２８２は、桁行方向に配設される土台２ａの上面に所定の間隔（例えば、１５０ｍｍ〜２００ｍｍ程度）をおいて凹状に形成され、その両側に構造用合板３６，３６の端部が所定の間隔をおいて載置され、通気開口２８２の中央部が内部空間２７ｂ（２７）に向けて開口するため、床下空間２５と内部空間２７ｂ（２７）とが連通する。このような間仕切部下の通気開口２８２は、軒棟方向に配設される土台２ｂの上面にも同様に形成される。そして、各内部空間２７（２７ａ，２７ｂ）の上部が天井裏空間４１に連通している。
【００１８】
次いで、２階部分では、図２（ａ）に示すように、外壁の中間高さ部位に形成される通気開口２８３は、桁行方向に配設される端部の梁３８の上面に所定の間隔（例えば、１５０ｍｍ〜２００ｍｍ程度）をおいて凹状に形成され、その上半分が構造用合板３６によって覆われ、残りの半分が内部空間２７ａ（２７）に向けて開口するため、天井裏空間４１と内部空間２７ａ（２７）とが連通する。このような通気開口２８３は、軒棟方向に配設される梁３９の上面にも同様に形成される。また、間仕切の下に形成される通気開口２８４は、桁行方向に配設される端部の梁３８の上面に所定の間隔（例えば、１５０ｍｍ〜２００ｍｍ程度）をおいて凹状に形成され、その両側には構造用合板３６，３６の端部が載置され、中央部が内部空間２７ｂに向けて開口するため、天井裏空間４１と内部空間２７ｂ（２７）とが連通する。このような間仕切部下の通気開口２８４は、軒棟方向に配設される梁３９の上面にも同様に形成される。従って、構造躯体２の内部空間２７（２７ａ，２７ｂ）が、床下空間２５、及び、天井裏空間４１に連通する。そして、各内部空間２７（２７ａ，２７ｂ）の上部が、２階の天井裏空間５１に連通する（図３（ａ）（ｂ）参照）。
【００１９】
この２階の天井裏空間５１と１階の天井裏空間４１には、図１に示すように、それぞれ屋外に臨んで開口する給気口１７と排気口１８を各室内空間１４〜１６に連通させるためのダクトｄが配設されており、さらに、そのダクトｄには躯体内気取入口２９が天井裏空間５１，４１内に臨むように配設され、構造躯体２の内部空間２７から躯体内気をダクトｄ内に取り込んで排気口１８から屋外に排出させることができるように構成している。一方、１階の天井裏空間４１から垂下させたダクトｄの下端には、床下空間２５に外気を送り込むための外気送入口３０を床下空間２５内に臨ませるように配設している。尚、給気口１７と排気口１８による各室内空間１４〜１６への給気と排気及び床下空間２５への外気の送り込みは、天井裏空間４１，５１又は外壁部等に配設した電動式換気扇（図示省略）により常時強制的に行われるようにするのが好ましい。
【００２０】
屋根部７は、図３（ａ）（ｂ）に示すように、構造躯体２の内部空間２７（２７ａ，２７ｂ）と２階の天井裏空間５１とを連通させ、天井裏空間５１に導入された躯体内気を、構造躯体２の上部（天井裏空間５１）と小屋裏７ａとの境界部に敷設した断熱層６を貫通させて設けた換気扇３１により、必要に応じて随時小屋裏７ａに吸い上げると共に、屋根板２０と、その内側に張設した遮熱層２１との間に通気層２２を形成して遮熱層２１で吸収乃至は反射できなかった赤外線エネルギーを通気層２２に取り込み、軒側から導入した外気及び小屋裏７ａに吸い上げた躯体内気と共に、換気装置２３から外部に自然排出させるように構成され、これにより、屋根板２０と遮熱層２１との間及び小屋裏７ａ内で５結露の発生を防止することができる。上述の断熱層６は、例えば、構造用合板の上にフェノールフォーム（例えば、１００ｍｍ（５０ｍｍ×２）厚程度に二重貼り，面材：不織布）を貼り付けたもの等を用い、その断熱層６に形成した開口に換気扇３１を取り付け、夏期等では、小屋裏７ａ内の輻射熱を排除するために、例えば、１時間で２回程度小屋裏７ａ内の換気を行える程度に、タイマーとセンサー（小屋裏７ａに配設）により、上記換気扇３１を駆動させるのが好ましい。
【００２１】
以上のように構成される高気密・高断熱住宅に設けられる三重換気システムでは、図１に示すように、換気の方向を矢印Ａで示す室内換気システムは、室内空間１１〜１６にダクトｄを介して連通する給気口１７と排気口１８を有して空調装置（エアコン）ａｃの熱交換により室内空間１１〜１６の換気（常時２４時間）を伴う強制空調（随時）を行う。換気の方向を矢印Ｂで示す自然換気システムは、外壁材５の下部から、前記外壁材５と断熱層４の間に形成される通気層１９に取り込んだ外気を小屋裏７ａに導入し、その外気を、屋根の軒側から屋根板２０と遮熱層２１との間に形成した通気層２２に取り込んだ外気と共に、換気装置２３から外部に自然排出させ、これにより、外壁材５と断熱層４の間及び屋根部７内（小屋裏７ａ）での結露の発生を防止することができる。そして、換気の方向を矢印Ｃで示す躯体換気システムは、外気送入口３０から床下空間２５に外気を取り込んで調湿した後、構造躯体２の内部空間２７に導入して内部空間２７に流通させた後、躯体内気取入口２９からダクトｄに取り込み排気口１８から屋外に常時（２４時間）強制排出させることにより、構造躯体２内の常時換気を行うと共に、換気扇３１により、必要に応じて随時、躯体内気を小屋裏７ａに導入する。
【００２２】
特に、上述のように、躯体換気システムを室内換気システムと連係させているため、外気を床下空間２５に取り込んで調湿した後、構造躯体２の内部空間２７（２７ａ，２７ｂ）に流通させた後排気口１８から屋外に常時（２４時間）強制排出させることができるので、構造躯体２内が年間を通じて充分に換気され結露の発生を効果的に防止して構造躯体２の永年耐力保持を図ることができ、かつ、構造躯体内のＶＯＣを排出してシックハウス症候群の発生を抑制することもできる。そして、夏期等においては、必要に応じて、室内の空調によって外気より温度が低くなっている躯体内気を小屋裏７ａに導入することにより、小屋裏７ａの温度を低下させることができ、これにより、小屋裏７ａから室内空間１１〜１６への輻射熱の伝播を抑制して、室内換気システムによる空調効率を向上させることができ、優れた省エネ効果を得ることができる。また、床下空間２５には、調湿材２６に加えて、床下全面にわたって備長炭パウダー塗料によるコーティングを施していることより、構造躯体２内が充分に換気・乾燥され、上述のように、結露の発生を防止できると共に防蟻効果も向上する。
【００２３】
ところで、構造躯体２の内部空間２７には、床下空間２５で調湿された内気だけでなく、内装材３を通して、また、階段や廊下等からも、空調された室内の空気が入り込むと共に、内装材３を介した内部空間２７への熱移動等もあるため、冷房が行われる夏期等には、上述のように、内部空間２７から小屋裏７ａに導入される躯体内気は、外気より温度がかなり低くなる。これにより、上述のように、小屋裏７ａ内の温度を効果的に低下させることができ、換気による空調時の省エネ効果の低下を抑制して室内換気システムの空調効率を向上させることができる。また、夏期だけでなく、梅雨時や降雨が続いて湿気の多くなった時にも、必要に応じて、換気扇３１を駆動させることにより、構造躯体２内の換気を促進することで、構造躯体２内及び小屋裏７ａでの結露の発生を防止できると共に、室内換気システムの空調効率を向上させることもできる。
【００２４】
尚、本発明の三重換気システムは、実施の形態に限定されることなく、発明の要旨を逸脱しない限りにおいて、適宜、必要に応じて、設計変更や改良等は自由であり、例えば、高気密・高断熱住宅は３階建てや１階建てであってもよく、また、木造住宅に限られることなく、鉄筋コンクリート住宅等であってもよい。また、換気方式は第１種換気でなくてもよく第３種換気であってもよい。さらに、換気扇３１は、例えば、構造躯体２の内部空間２７に湿度検知センサを配設して、内部空間２７の湿度が所定以上になれば作動するように制御してもよく、また、一般住宅では、そのオンオフを手動式としてメンテナンスフリー化を図ってもよい。
【図面の簡単な説明】
【００２５】
【図１】本発明の実施の形態に係る三重換気システムの概念図である。
【図２】（ａ）は同建屋２階の床部の断面図、（ｂ）は建屋１階の床部の断面図である。
【図３】（ａ）は同屋根部の軒棟方向の断面図、（ｂ）は屋根部の桁行方向の断面図である。
【符号の説明】
【００２６】
１…基礎、２…構造躯体、３…内装材、４…断熱層、５…外壁材、６…断熱層、７…屋根部、１１〜１６室内空間、１７…給気口、１８…排気口、１９…通気層、２０…屋根板２１…遮熱層、２２…通気層、２３…換気装置、２４…床板、２５…床下空間、２６…調湿材、２７…内部空間、２８…通気開口、２９…躯体内気取入口、３０…外気送入口、３１…換気扇
【図１】
2006132899.tif 000003
【図２】
2006132899.tif 000004
【図３】
2006132899.tif 000005